(57)【要約】【課題】ブレンドラウンド部の形状を改善して、パネルをより効果的に軽量化することができる陰極線管用パネルを提供する。【解決手段】陰極線管用パネル（５０）は、映像を表すフェース部（５１）と、スカート部（５３）と、ブレンドラウンド部（５４）とを含む。フェース部の外側輪郭線とブレンドラウンド部の外側ブレンドラウンド輪郭線が合う点を第１点（Ａ）、スカート部の外側輪郭線とブレンドラウンド部の外側ブレンドラウンド輪郭線が合う点を第２点（Ｂ）、第１点及び第２点を各々その両端点にする仮想の円弧と第１点及び第２点を各々その両端点にする線分との間に外側ブレンドラウンド輪郭線は形成されるか、第１点及び第２点をそれぞれその両端点にする線分である。仮想の円弧は、フェース部の外側輪郭線と第１点で滑らかに連結され、スカート部の外側輪郭線と第２点で滑らかに連結される。【選択図】    図4
2005079102.tif 000002
【特許請求の範囲】
【請求項１】
陰極線管用パネルであって、
映像を表すフェース部と、
前記フェース部の縁部から後方に延在されるスカート部と、
前記フェース部と前記スカート部を連結するブレンドラウンド部とを含み、
前記パネルの断面から見ると、前記フェース部の外側輪郭線と前記ブレンドラウンド部の外側ブレンドラウンド輪郭線が合う点を第１点と呼び、前記スカート部の外側輪郭線と前記ブレンドラウンド部の外側ブレンドラウンド輪郭線が合う点を第２点と呼び、
前記外側ブレンドラウンド輪郭線は、前記第１点及び前記第２点を各々その両端点にする仮想の円弧と前記第１点及び前記第２点を各々その両端点にする線分との間に形成されるか、或いは前記第１点及び前記第２点を各々その両端点にする線分であり、
前記仮想の円弧は、前記フェース部の外側輪郭線と前記第１点で滑らかに連結され、前記スカート部の外側輪郭線と前記第２点で滑らかに連結されることを特徴とする陰極線管用パネル。
【請求項２】
前記仮想の円弧の曲率半径は、約８ｍｍ以上１５ｍｍ以下であることを特徴とする請求項１に記載の陰極線管用パネル。
【請求項３】
前記外側ブレンドラウンド輪郭線は、前記線分と平行であり、前記仮想の円弧と合う二点を両端点にする第２線分であることを特徴とする請求項２に記載の陰極線管用パネル。
【請求項４】
前記外側ブレンドラウンド輪郭線は、円錐曲線であることを特徴とする請求項１に記載の陰極線管用パネル。
【請求項５】
前記円錐曲線の円錐曲線特性値は、約０．４４以上、０．５以下であることを特徴とする請求項４に記載の陰極線管用パネル。
【請求項６】
前記外側ブレンドラウンド輪郭線は、二つ以上の線分で構成されることを特徴とする請求項１に記載の陰極線管用パネル。
【請求項７】
前記二つ以上の線分が互いに合う点の部分は、曲率半径が約１ｍｍ以上の曲線になるようにラウンド処理されることを特徴とする請求項６に記載の陰極線管用パネル。
【請求項８】
前記第１点と前記第２点の部分は、曲線になるようにラウンド処理されることを特徴とする請求項６に記載の陰極線管用パネル。
【請求項９】
前記第１点と前記第２点の部分をラウンド処理して形成された曲線の曲率半径は、約１ｍｍ以上であることを特徴とする請求項８に記載の陰極線管用パネル。
【請求項１０】
前記第１点と前記第２点の部分は、曲線になるようにラウンド処理されることを特徴とする請求項１に記載の陰極線管用パネル。
【請求項１１】
前記第１点と前記第２点の部分をラウンド処理して形成された曲線の曲率半径は、約１ｍｍ以上であることを特徴とする請求項１０に記載の陰極線管用パネル。
【発明の詳細な説明】
【技術分野】
【０００１】
本発明は、陰極線管用パネルに関し、更に詳しくは、ブレンドラウンド部の形状を改善して軽量化することができる陰極線管用パネルに関する。
【背景技術】
【０００２】
周知のように、カラーテレビやコンピューターモニターなどの製造に用いられる陰極線管用ガラスバルブ（Ｇｌａｓｓ ｂｕｌｂ）は、基本的に３つの構成要素、即ち、画像が透視されるパネル（Ｐａｎｅｌ）と、このパネルの後面に接合される円錐形のファンネル（Ｆｕｎｎｅｌ）と、ファンネルの頂点に接合される管状のネック（Ｎｅｃｋ）とからなる。パネル、ファンネル及びネックは、全てガラスで製造され、特に、パネル及びフランネルはガラスゴブ（Ｇｌａｓｓ ｇｏｂ）と呼ばれる溶融ガラスの塊を所望の大きさ及び形状にプレス成形によって製造している。パネルは、プレス成形した後、スタッドピン（Ｓｔｕｄ ｐｉｎ）をシールするピンシーリング工程（ｐｉｎ ｓｅａｌｉｎｇ ｐｒｏｃｅｓｓ）と、熱処理によってパネルに残留する応力を除去する徐冷炉（Ａｎｎｅａｌｉｎｇ Ｌｅｈｒ）での徐冷工程と、研磨（ｌａｐｐｉｎｇ）及び検査工程とを通じて完成品が製造されている。
【０００３】
このような陰極線管用ガラスバルブの構成を図１に即して説明すると、ガラスバルブ１０のパネル２０は、内面に結像用蛍光体が塗布されて画像を表すフェース部（Ｆａｃｅ ｐｏｔｒｉｏｎ）２１と、このフェース部２１の縁部から後方に延在されているシールエッジ（Ｓｅａｌ ｅｄｇｅ）２２を有するスカート部（Ｓｋｉｒｔ ｐｏｒｔｉｏｎ）２３と、フェース部２１とスカート部２３を連結するブレンドラウンド部（Ｂｌｅｎｄ ｒｏｕｎｄ ｐｏｒｔｉｏｎ）２４とから構成されている。ブレンドラウンド部２４は、フェース部２１とスカート部２３の輪郭線を滑らかな曲面に整形した部分を意味するフィレット（Ｆｉｌｌｅｔ）とも呼ばれる。
【０００４】
ファンネル３０は、パネル２０のシールエッジ２２に接合されるシールエッジ３１を有するボディ部（Ｂｏｄｙ ｐｏｒｔｉｏｎ）３２と、ボディ部３２の後方に延在されているヨーク部（Ｙｏｋｅ ｐｏｒｔｉｏｎ）３３とから構成されている。そして、ファンネル３０のヨーク部３３には、ネック４０が接合されている。
【０００５】
最近の陰極線管用パネルの場合、原価節減のために、ガラスバルブの厚さ及び重さを減少させるための軽量化に関する様々な研究を活発に行っている。
【０００６】
特に、従来の陰極線管用ガラスバルブにおいて、フラットパネルの軽量化のために、フェース部の厚さを減少させたり、スカート部の高さを減少させたりする設計的な方法が施されているが、フラットパネルの軽量化のために、ブレンドラウンド部の形状を変える方法は施されていない。
【発明の開示】
【発明が解決しようとする課題】
【０００７】
本発明の目的は、ブレンドラウンド部の形状を改善して、パネルをより効率良く軽量化することができる陰極線管用パネル及びその製造方法を提供することにある。
【０００８】
本発明の他の目的は、国際電気標準会議（Ｉｎｔｅｒｎａｔｉｏｎａｌ Ｅｌｅｃｔｒｏｔｅｃｈｎｉｃａｌ Ｃｏｍｍｉｓｓｉｏｎ）の防爆特性及びプレス成形の成形性が保障できるブレンドラウンド部の形状を有するパネル及びその製造方法を提供することにある。
【課題を解決するための手段】
【０００９】
このような目的を達成するための本発明の特徴は、陰極線管用パネルにおいて、映像を表すフェース部と、前記フェース部の縁部から後方に延在されるスカート部と、前記フェース部と前記スカート部を連結するブレンドラウンド部とを含み、前記パネルの断面から見ると、前記フェース部の外側輪郭線と前記ブレンドラウンド部の外側ブレンドラウンド輪郭線が合う点を第１点と呼び、前記スカート部の外側輪郭線と前記ブレンドラウンド部の外側ブレンドラウンド輪郭線が合う点を第２点と呼び、前記外側ブレンドラウンド輪郭線は、前記第１点及び前記第２点を各々その両端点にする仮想の円弧と前記第１点及び前記第２点を各々その両端点にする線分との間に形成されるか、或いは前記第１点及び前記第２点を各々その両端点にする線分であり、前記仮想の円弧は前記フェース部の外側輪郭線と前記第１点で滑らかに連結され、前記スカート部の外側輪郭線と前記第２点で滑らかに連結されることを特徴とする。
【発明の効果】
【００１０】
本発明による陰極線管用パネルにおいて、外側ブレンドラウンド輪郭線は、従来のものに比べて内側に形成されるように、ブレンドラウンド部が形成されるため、パネルの軽量化が可能であり、特に、外側ブレンドラウンド輪郭線の円錐曲線特性値が０．４４以上、０．５以下になるように形成されるため、効果的な軽量化が可能であると同時に、国際電気標準会議の防爆特性及びプレス成形の成形性を満たすことができる。
【００１１】
また、外側ブレンドラウンド輪郭線とフェース部の外側輪郭線が合う地点及び外側ブレンドラウンド輪郭線とスカート部の外側輪郭線が合う地点が約１ｍｍ以上の曲率半径を有するラウンド（ｒｏｕｎｄ）部によって連結されるので、応力集中によるパネルの破損確率を大きく減少させることができる。
【００１２】
また、外側ブレンドラウンド輪郭線とフェース部の外側輪郭線が合う地点及び外側ブレンドラウンド輪郭線とスカート部の外側輪郭線が合う地点の位置を、従来のパネルのものと同様にすることができるので、本発明のパネルの外側ブレンドラウンド輪郭線が従来のパネルのものと異なっても、陰極線管製造の際に既存の防爆バンドの取り付け面積がそのまま用いられることができ、ＴＶまたはモニターの製造時には従来と同じケースがそのまま用いられる。
【発明を実施するための最良の形態】
【００１３】
以下、本発明による陰極線管用パネル及びその製造方法に関する好適な実施の形態を添付の図面に即して詳細に説明する。
【００１４】
まず、図２を参照すれば、本発明の陰極線管用パネル５０は、内面に結像用蛍光体が塗布されて画像を表すフェース部５１と、このフェース部５１の縁部から後方に延在されている、シールエッジ５２を有するスカート部５３と、フェース部５１とスカート部５３を連結するブレンドラウンド部５４とから構成されている。そして、パネル５０のスカート部５３の外面には、下部金型と中間金型の界面によって発生される成形跡であるモールドマッチライン５５が形成されている。
【００１５】
図３に示すように、パネル５０は、短軸５６、長軸５７及び対角軸５８を有する略矩形状に形成されている。フェース部５１は、実質的に画像を表す有効画面（Ｕｓｅｆｕｌ ｓｃｒｅｅｎ）５９をなすフェース中央領域６０と、その周りのフェース周辺領域６１に分けられる。
【００１６】
図２及び図３を参照すれば、Ｔｃは、フェース部５１の中心でのパネル５０の厚さ、すなわちフェース中心厚さＴｃ（ｍｍ）を示す。Ｔｄは、対角有効画面厚さＴｄ（ｍｍ）を示し、対角有効画面厚さＴｄ（ｍｍ）とは、対角軸５８方向にフェース部５１の内側輪郭線５１ａとブレンドラウンド部５４の内側ブレンドラウンド輪郭線５４ａが接する接点でのパネル５０の厚さを意味する。フェース部５１のフェース周辺領域６１において、フェース部５１の内側輪郭線５１ａとブレンドラウンド部５４の内側ブレンドラウンド輪郭線５４ａの接点は、パネル５０において最も厚さの厚い地点である。
【００１７】
図４を参照しながら、本発明の第１実施の形態による陰極線管用パネル５０及びこの製造方法を説明する。まず、パネル５０のフェース部５１とスカート部５３を連結するブレンドラウンド部５４の外側ブレンドラウンド輪郭線５４ｂを求めるための仮想のラウンド線５４ｃを求める。ここで、仮想のラウンド線５４ｃの曲率半径Ｒ１は、図１に示す既存のブレンドラウンド部２４の外側ブレンドラウンド輪郭線の曲率半径と同様の方法で求めることができ、既存のブレンドラウンド部２４の外側ブレンドラウンド輪郭線の曲率半径は、陰極線管の機種によって異なるが、１７インチ乃至３２インチ（約４３．１８〜８１．２８）の陰極線管のフラットパネルは、通常、約８〜１５ｍｍである。約８〜１５ｍｍ程度の曲率半径を有するラウンド線は、その円錐曲線の特性値が０．４１９〜０．４２９程度になる。
【００１８】
次に、フェース部５１の外側輪郭線５１ｂと仮想のラウンド線５４ｃが合う第１点Ａを求め、スカート部５３の外側輪郭線５３ｂと仮想のラウンド線５４ｃが合う第２点Ｂを求める。フェース部５１の外側輪郭線５１ｂと仮想のラウンド線５４ｃが合う第１点Ａは、有効画面５９を侵犯しなく、スカート部５３の外側輪郭線５３ｂと仮想のラウンド線５４ｃが合う第２点Ｂは、ブレンドラウンド部５４を基準にモールドマッチライン５５を侵犯しない。また、仮想のラウンド線５４ｃは、第１点Ａ及び第２点Ｂでそれぞれフェース部５１の外側輪郭線５１ｂ及びスカート部５３の外側輪郭線５３ｂと滑らかに合う。すなわち、フェース部５１の外側輪郭線５１ｂ、仮想のラウンド線５４ｃ及びスカート部５３の外側輪郭線５３ｂで形成されるグラフは、第１点Ａ及び第２点Ｂで微分値を有する。そして、第１点Ａと第２点Ｂを結ぶ第１直線Ｌ１を求め、第１直線Ｌ１と同じ傾きを有する第２直線Ｌ２を求める。このとき、第２直線Ｌ２は、第１直線Ｌ１とラウンド線５４ｃの頂点Ｃとの間にある。このように、第２直線Ｌ２が求められると、第１点Ａと第２点Ｂを連結し、第２直線Ｌ２に接するブランドラウンド部５４の外側ブレンドラウンド輪郭線５４ｂを有するブレンドラウンド部５４を形成する。
【００１９】
また、図５に示すように、第１点Ａと第２点Ｂの部分は、ラウンド５４ｄで処理するのが好ましく、ラウンド５４ｄの曲率半径Ｒ２（ｍｍ）は、
Ｒ２＞＝１                                  （１）
を満たすように形成する方が好ましい。このような曲率半径Ｒ２を有するラウンド５４ｄによって、フェース部５１の外側輪郭線５１ｂとスカート部５３の外側輪郭線５３ｂが外側ブレンドラウンド輪郭線５４ｂと滑らかに連結されて、プレス成形の成形性を保障し、また応力の集中による割れなどの破損を効果的に防止することができる。
【００２０】
一方、図６に示すように、円、楕円、放物線及び双曲線を含む円錐曲線（Ｃｏｎｉｃ ｓｅｃｔｉｏｎ）Ｃｓの特性値（ｒｈｏ）ρは、以下の数式（２）によって求められる。
【００２１】
ρ＝Ｄ１／Ｄ２                                （２）
ここで、Ｄ１は円錐（Ｃｏｎｅ）Ｃｏの底辺ａｂと円錐曲線Ｃｓの頂点ｄとの間の垂線の長さ、Ｄ２は円錐Ｃｏの底辺ａｂと円錐Ｃｏの頂点ｃとの間の垂線の長さを示す。また、円錐Ｃｏの斜辺ａｃ及び斜辺ｂｃは、それぞれ点ａ及び点ｂで円錐曲線に接する接線の一部である。
【００２２】
特に、円弧（Ａｒｃ）では次のような式で表すことができる。
【００２３】
ρ＝cos（θ／２）／（１＋cos（θ／２））    （３）
ここで、θは、円弧に対する中心角、すなわち円弧の始点と円弧を含む円の中心及び円弧の端点が成す角度である。
【００２４】
本発明のパネル５０において、フェース部５１とスカート部５３を連結するブレンドラウンド部５４の外側ブレンドラウンド輪郭線５４ｂの円錐曲線の特性値ρは、
０．４４＜＝ρ＜＝０．５                  （４）
を満たすように設計されるのが好ましい。ブレンドラウンド輪郭線５４ｂの円錐曲線の特性値（ｒｈｏ）が最小値の０．４４より小さい場合、軽量化効果が非常に低い。すなわち、軽量化率が０．９％未満になる。一方、ブレンドラウンド輪郭線５４ｂの円錐曲線の特性（ｒｈｏ）が最大値の０．５を超過する場合、凹の曲線が形成され、第１点Ａ及び第２点Ｂが鋭くなるので、パネル５０の移動時または防爆バンドの取り付け時に破損される可能性が大きくなり、真空応力の集中によって防爆強度が悪化される。また、ブレンドラウンド輪郭線５４ｂの円錐曲線特性値が０．５である場合、直線に近い輪郭線が形成される。
【００２５】
本発明の第１実施の形態によるパネルの軽量化率を検証するために、実験を行い、その結果を表１に示した。表１において、比較例１〜比較例８は、図２及び図３に示す本発明のパネル５０と、ブレンドラウンド部５４を除いて、同じ構造を有する従来の１７インチ〜３２インチ（約４３．１８〜８１．２８ｃｍ）のパネルである。実施例１〜実施例８は、比較例１〜比較例８のそれぞれのパネルを基に、数式（１）〜数式（４）を満たすように製作されたパネルである。以下の表１において、パネルの重さは実測して示し、重さ減少率は比較例１〜比較例８のパネル重さに対する実施例１〜実施例８のパネル重さの減少率を示す。
【表１】
2005079102.tif 000003
【００２６】
表１で“″”はインチを表わし、１インチは約２．５４ｃｍである。
【００２７】
表１から分かるように、比較例１〜比較例８のパネルにおいて、短軸、長軸及び対角軸で、外側ブレンドラウンド輪郭線の円錐曲線の特性値ρが０．４４より小さいことが確認できる。また、実施例１〜実施例８の１７インチ〜３２インチ（約４３．１８〜８１．２８ｃｍ）のパネルは、外側ブレンドラウンド輪郭線の円錐曲線特性値（ｒｈｏ）が０．４９９になるように製造され、比較例１〜比較例８の１７インチ〜３２インチ（約４３．１８〜８１．２８ｃｍ）のパネルの重さに比べて０．９〜２．１％の重さ減量が発生したことが分かる。また、このように、円錐曲線特性値（ｒｈｏ）が０．４４＜＝ｒｈｏ＜＝０．５の範囲を有する外側ブレンドラウンド輪郭線を有する実施例１〜実施例８の１７インチ〜３２インチ（約４３．１８〜８１．２８ｃｍ）のパネルは、国際電気標準会議の防爆特性を満たす強度を保有し、プレス成形の成形性を保障する。
【００２８】
図７及び８を参照して、本発明の第２実施の形態による陰極線管用パネル５０及びこの製造方法について説明する。まず、第１実施の形態と同様な方法で第１点Ａ及び第２点Ｂを求め、この二点を連結する第１直線Ｌ１を求める。ここで、第１直線Ｌ１の中第１点Ａと第２点Ｂとの間の区間、すなわち、線分ＡＢがブレンドラウンド部５４の外側ブレンドラウンド輪郭線５４ｂを形成する。つまり、従来のブレンドラウンド部を面取り（ｃｈａｍｆｅｒ）したような形状の外側ブレンドラウンド輪郭線５４ｂが形成される。
【００２９】
また、第１実施例と同様に、図８に示すように、第１点Ａ及び第２点Ｂが外側ブレンドラウンド輪郭線５４ｂと合う部分は、曲率半径が１ｍｍ以上であるラウンド５４ｄで連結するのが好ましい。
【００３０】
また、ここで外側ブレンドラウンド輪郭線５４ｂは、第２直線Ｌ２（図４参照）と仮想のラウンド線５４ｃが合う二点の間の線分にしても良い。
【００３１】
図９及び１０に示す本発明の第３実施の形態のように、外側ブレンドラウンド輪郭線５４ｂは、二つ以上の線分で形成することもできる。図９及び図１０を参照しながら、本発明の第３実施の形態による陰極線管用パネル５０及びその製造方法について説明する。まず、第１実施の形態と同様な方法で、第１点Ａ、第２点Ｂ、第１直線Ｌ１及び第２直線Ｌ２を求める。外側ブレンドラウンド輪郭線５４ｂは、第１点Ａと第２直線Ｌ２上の第３点Ｄを連結する線分及び第２点Ｂと第３点Ｄを連結する線分とから成る。
【００３２】
また、第１実施の形態と同様に、図１０に示すように、第１点Ａ及び第２点Ｂが外側ブレンドラウンド輪郭線５４ｂと合う部分は、曲率半径が１ｍｍ以上であるラウンド５４ｄに連結するのが好ましい。さらに、二つの線分が合う第３点Ｄは、例えば曲率半径が１ｍｍ以上の曲線になるように、ラウンド５４ｅに取り替えるのが好ましい。
【００３３】
また、外側ブレンドラウンド輪郭線５４ｂは、第１点Ａ及び第３点Ｄを連結する一つ以上の曲線、または二つ以上の線分及び第２点Ｂと第３点Ｄを連結する一つ以上の曲線、または二つ以上の線分から成されても良く、曲線と線分が混合された形態で形成されても良い。
【００３４】
以上で説明したものは、本発明によるディスクカートリッジ及びこれと共に使用するディスクドライブを具現するための1つの実施例に過ぎないもので、本発明は前記実施例に限定されなく、特許請求の範囲で請求するような本発明の要旨を逸脱することなしで、本発明が属する分野で通常の知識を持っている者であれば、誰でも多様に変更実施可能な範囲まで本発明の技術的精神があると言える。
【図面の簡単な説明】
【００３５】
【図１】一般的な陰極線管用ガラスバルブの構成を示す断面図。
【図２】本発明による陰極線管用パネルの構成を示す断面図。
【図３】本発明による陰極線管用パネルの構成を示す正面図。
【図４】本発明の第１実施の形態による陰極線管用パネルにおいて、ブレンドラウンド部の外側ブレンドラウンド輪郭線を形成する方法を説明するために示す図。
【図５】本発明の第１実施の形態による陰極線管用パネルにおいて、フェース部及びスカート部をブレンドラウンド部の外側ブレンドラウンド輪郭線と連結するラウンドを形成する方法を説明するために示す図。
【図６】本発明によるブレンドラウンド部の外側ブレンドラウンド輪郭線を形成するための円錐曲線の特性値を説明するために示す図。
【図７】本発明の第２実施の形態による陰極線管用パネルにおいて、ブレンドラウンド部の外側ブレンドラウンド輪郭線を形成する方法を説明するために示す図。
【図８】本発明の第２実施の形態による陰極線管用パネルにおいて、フェース部及びスカート部をブレンドラウンド部の外側ブレンドラウンド輪郭線と連結するラウンドを形成する方法を説明するために示す図。
【図９】本発明の第３実施の形態による陰極線管用パネルにおいて、ブレンドラウンド部の外側ブレンドラウンド輪郭線を形成する方法を説明するために示す図。
【図１０】本発明の第３実施例による陰極線管用パネルにおいて、フェース部とスカート部をブレンドラウンド部の外側ブレンドラウンドと連結するラウンド及び線分が合う地点を連結するラウンドを形成する方法を説明するために示す図。
【符号の説明】
【００３６】
５０  パネル
５１  フェース部
５２  シールエッジ
５３  スカート部
５４  ブレンドラウンド部
５４ａ  内側ブレンドラウンド
５４ｂ  外側ブレンドラウンド
５４ｃ  仮想のラウンド線
５４ｄ  ラウンド
５９  有効画面
６０  フェース中央領域
６１  フェース周辺領域
Ｔｃ  フェース中心厚さ
Ｔｄ  対角有効画面厚さ
Ｒ  外面曲率半径
Ａ  第１点
Ｂ  第２点
Ｃ  頂点
Ｃｏ  円錐
Ｃｓ  円錐曲線
Ｌ１  第１直線
Ｌ２  第２直線
【図１】
2005079102.tif 000004
【図２】
2005079102.tif 000005
【図３】
2005079102.tif 000006
【図４】
2005079102.tif 000007
【図５】
2005079102.tif 000008
【図６】
2005079102.tif 000009
【図７】
2005079102.tif 000010
【図８】
2005079102.tif 000011
【図９】
2005079102.tif 000012
【図１０】
2005079102.tif 000013